(57)【要約】【課題】  本発明は、ユーザーが販売を希望する玩具やゲームソフトなどの中古商品買取における価格決定方法に関し、効率的な中古商品の売買が可能となるシステムを提供することを課題とする。【解決手段】  コンピュータのデータベースを用い、中古商品の買取希望ユーザーが、ユーザー端末機を使用して該中古商品の名前、商品識別コード及び買取金額などの買取希望情報を登録しておき、自己保有の中古商品を販売したい販売希望ユーザーがユーザー端末のアプリケーション及び、携帯電話等の携帯端末の商品識別コードリーダーを用いて、前記データベースを検索して販売希望商品の買取希望情報を検索し、該検索結果の表示を参照し、該データーベースに登録されている買取希望情報の参照結果から買取希望価格を比較して、自己保有の中古商品の販売価格を決定することを特徴とする商品売買システム。【選択図】図１
2007179516.tif 000002
【特許請求の範囲】
【請求項１】
コンピュータのデータベースを用い、中古商品の買取りを希望する単数若しくは複数の買取希望ユーザーが、携帯電話やパソコンなど各種のユーザー端末機を使用して該中古商品の名前、商品識別コード及び買取金額などの買取希望情報を登録しておく買取希望情報登録手段と、自己保有の中古商品を販売したい販売希望ユーザーが携帯電話やパソコンなどの画面を有するユーザー端末のアプリケーション及び、携帯電話等の携帯端末の商品識別コードリーダーを用いて、販売希望商品の商品識別コードより前記データベースに登録されている買取希望情報登録手段の買取希望情報を検索して販売希望商品の買取希望情報を検索する検索手段と、該検索手段の検索結果を表示する表示手段とを参照し、該データーベースに登録されている買取希望情報の参照結果から買取希望価格を比較して、自己保有の中古商品の販売価格を決定することを特徴とする転売価格の検索決定方法。
【請求項２】
データベースの参照はユーザー端末によるバーコードやＱＲコードなどを読み取る商品識別コードリーダーの利用とバーコードやＱＲコードなどの商品識別コードの直接入力により検索することを特徴とする請求項１記載の転売価格の検索決定方法。
【発明の詳細な説明】
【技術分野】
【０００１】  本発明は、ユーザーが販売を希望する玩具やゲームソフトなどの中古商品買取における転売価格の検索決定方法に関する。
【背景技術】
【０００２】  通常、中古商品を売りたいユーザーがデータを登録し、該中古商品を買取りたいユーザーがデータを参照し、該中古商品を購入する。この時、該中古商品を売りたいユーザーである販売者は現時点で販売商品に対し、該中古商品を買取りたいユーザーとなる購入者がいるのか、いつ売れるのか分からない状況が発生する。【０００３】  また、オークションなどによる入札方式の価格決定システムだと販売したいユーザーが思っている売却予定価格より予想以上に安価になっての決済になってしまったり、決済まで何日も待たされたりする状況となる。
同名で異なる商品や、限定品などのプレミアム商品と通常品の商品があった場合、買取希望とは異なる商品が発生するケースもある。【０００４】  従来、例えば、特許文献１に示されるようなインターネットを利用した価格決定方法が知られている。
【特許文献１】特開２００３−２２８６５１号公報
【発明の開示】
【発明が解決しようとする課題】
【０００５】  従来の技術では、中古商品を売りたい時に、現時点での商品の買取りを希望する情報がないために、手持ち商品の買取状況を正確に判断することは困難である。さらに買取状況を正確に収集したとしても手持ち商品の購入者を探し出す必要がある。【０００６】  商品名で検索をおこなうには入力データにより多量のデータが抽出されてしまい目的のデータを探し出すのに困難な状況が発生してしまうことがある。また同じ商品名で異なる商品も抽出されてしまうケースもある。【０００７】  本発明の目的は、以上のような課題を解決すべく、買取りをしたいユーザーが中古商品の商品識別コードのデータを登録することにより、販売したいユーザーがバーコードなどの商品識別コードを利用して即決で取り引きできることにある。殊に、現在自分が手元に持っている中古商品の転売価格の買取り情報を手軽に検索して販売価格を決定することができる利便性がある。
【課題を解決するための手段】
【０００８】  本発明にかかる価格決定方法は、中古商品の買取利用者がユーザー端末を利用し買取りたい商品情報をデータベースの買取商品価格情報テーブルに登録する。バーコードが不明な場合はバーコード検索用テーブルを参照し登録できる。
中古商品の販売利用者は、ユーザー端末のアプリケーションとバーコードリーダーを利用し、前記データベースから登録された買取り情報を比較する。買取り条件を満たす買取利用者がいれば商品を販売する。
【発明の効果】
【０００９】  本発明によれば、携帯でアクセスすることにより売りたい中古品の転売価格を手軽に把握して条件の良いところに転売できる利点がある。
【発明を実施するための最良の形態】
【０００９】  以下に本発明の実施の形態について図面を参照し、詳細に発明する。【００１０】  図１に本発明のシステム構成図を示す。本発明は、商品登録装置１００、インターネット網１１０、買取商品情報データ１０２、バーコード検索用データ１０３、買取希望ユーザー端末１２０、販売希望ユーザー端末１３０、バーコードリーダー１２２・１３２で構成される。【００１１】  商品登録装置１００は、買取登録プログラム１０１、買取商品情報データ１０２、バーコード検索データ１０３で構成される。【００１２】  買取登録プログラム１０１は、インターネット網１１０を介して買取希望ユーザー端末１２０から登録された商品に関する買取情報を受信し、買取商品情報データ１０２に商品情報を登録する。【００１３】  買取商品情報データ１０２には、買取希望商品のバーコード、商品情報、登録者情報、買取価格などのデータが登録管理される。【００１４】  インターネット網１１０は、データ通信網であり、買取希望ユーザー端末１２０、販売希望ユーザー端末１３０が商品登録装置１００の提供するインターネット上のホームページにアクセスし商品情報の登録、または商品情報の閲覧及び購入する等の場合に使用される通信網である。【００１５】  買取希望ユーザー端末１２０・販売希望ユーザー端末１３０は、さらに商品登録装置１００が提供するホームページにアクセスし希望商品の登録、または閲覧、販売するための商品登録装置１００に送信するためのブラウザプログラム１２１・１３１を含む。もちろんさらに多くの複数の買取希望ユーザー端末、販売希望ユーザー端末がインターネット網１１０を介して、商品登録装置１００に接続することができる。【００１６】  買取希望ユーザー端末１２０及び、販売希望ユーザー端末１３０は商品のバーコードを読取るためのバーコードリーダー１２２・１３２も含む場合もある。このバーコードはＱＲコードなどの二次元コードでもよい。【００１７】  図２に買取商品情報データ１０２に蓄積される買取商品情報マスタ２００を示す。買取商品情報マスタ２００には、各買取商品ごとに以下のようなデータが管理される。目的の商品を簡単に検索するためのバーコード２０１、商品名２０２、買取数量２０３、買取金額２０４、買取者２０５、連絡先２０６が買取商品情報マスタ２００に格納される。図２には玩具を例にした商品が１つしか記録されていないが、複数の商品を記録する場合は、レコードはそれに応じて増加していく。【００１８】  図３にバーコード検索用データ１０３に蓄積されるバーコード検索用マスタ３００を示す。バーコード検索用マスタ３００は、買取商品登録時や販売商品登録時にバーコードが不明な場合に使用されるデータである。各商品ごとに以下のようなデータが管理される。目的の商品を簡単に検索するためのバーコード３０１、商品名３０２がバーコード検索用マスタ３００に格納される。図３には玩具を例にした商品が１つしか記録されていないが、複数の商品を記録される場合は、レコードはそれに応じて増加していく。【００１９】  買取商品情報マスタ２００は、次のように買取登録プログラム１０１が記録する。買取登録プログラム１０１は、買取希望ユーザー端末１２０から買取情報を受��すると、入力されたバーコード２０１、商品名２０２、買取数２０３、買取金額２０４、買取者２０５、連絡先２０６の情報を買取商品情報マスタ２００に記録する。【００２０】  また買取登録プログラム１０１は販売希望ユーザー端末１３０からバーコード情報を受信すると、買取商品情報マスタ２００からバーコード２０１と比較し、該当する商品を抽出し、販売希望ユーザー端末１３０に画面表示する。このときに買取金額などの条件にソートをかけて順列にすると比較がしやすい。そして、販売希望ユーザーは買取金額などの条件を比較し、希望の買取金額と合致する買取者を選択し、商品を販売する。【００２１】  ここで商品販売までの処理フローを示す。
Ｆ４０１で、買取希望ユーザーからの中古商品買取希望データは、携帯電話やパソコンなど各種の買取希望ユーザー端末１２０からインターネット１１０及びブラウザ１２１を介して、買取登録プログラムに送られ買取商品情報マスタ２００に登録される。商品登録は、買取登録プログラム１０１により送信されたホームページの買取登録画面上で、利用者が買取りたい商品を入力させることで、買取希望ユーザー端末１２０からインターネット１１０及びブラウザ１２１を介して商品登録装置１００に送信される。【００２２】  Ｆ５０１で、販売希望ユーザーからの中古商品販売希望データは、携帯電話やパソコンなどの画面を有する販売希望ユーザー端末１３０はインターネット１１０及びブラウザ１３１を介してバーコードリーダー１３２でバーコードの読み込み、あるいは、バーコードを直接に手入力することにより、商品登録装置１００に送信される。【００２３】  Ｆ５０２で、買取登録プログラム１０１は、買取商品情報マスタ２００から該当する商品に関するレコードを読み込んで識別する。【００２４】  Ｆ５０３で、買取登録プログラム１０１は、インターネット１１０及びブラウザ１３１を介して、販売希望ユーザー端末１３０に送信され、すべての該当商品レコードの表示を行う。この時に買い取りの価格順などの条件に応じてソートをかけて順列に表示すると見やすく比較がしやすくなる。【００２５】  Ｆ５０４で、販売希望ユーザーの販売希望価格と合致または近いものであればＦ５０５で買取者である買取希望ユーザーの連絡先２０６を参照する。また条件に合わない場合は終了する。【００２６】  Ｆ５０６で、買取希望ユーザーに連絡が取れれば販売希望ユーザーは登録された条件で、買取希望ユーザーに販売する。【００２７】  商品登録装置１００を構成するハードウェアとしては、ＣＰＵと、ＲＯＭ・ＲＡＭ・ＨＤＤ（ハードディスクドライブ）・ＨＤ（ハードディスク）・ＦＤＤ（フロッピーディスクドライブ）・着脱可能な記録媒体の一例としてＦＤ（フロッピーディスク）・ディスプレイ・Ｉ／Ｆ（インターフェース）・キーボード・マウスとを備える。また各構成部はバスによってそれぞれ接続されている。【００２８】  ＣＰＵは、商品登録装置１００全体の制御を司る。ＲＯＭはブートプログラムなどのプログラムを記憶している。ＲＡＭはＣＰＵのワークエリアとして使用される。ＨＤＤはＣＰＵの盛業にしたがってＨＤに対するリード、ライトを制御する。ＨＤはＨＤＤの制御で書き込まれたデータを記憶する。【００２９】  ＦＤＤは、ＣＰＵの制御にしたがってＦＤに対するデータのリード、ライトを制御する。ＦＤはＦＤＤの制御で書き込まれたデータを記憶したり、ＦＤに記録されたデータを情報処理装置へ読取らせたりする。着脱可能な記録媒体として、ＦＤの他にＣＤ−ＲＯＭ・ＣＤ−Ｒ・ＣＤ−ＲＷ・ＣＤ＋Ｒ・ＣＤ＋ＲＷ・ＭＯ・ＤＶＤやメモリーカードでもよい。ディスプレイはカーソル、アイコンあるいはツールボックスをはじめ、文書、画像、機能情報などのデータに関するウインドウ（ブラウザ）を表示する。例としてＣＲＴ、液晶ディスプレイ、プラズマディスプレイなどがある。【００３０】  上記ＲＯＭ、ＲＡＭ、ＨＤ、ＦＤなどに格納された買取登録プログラム１０１を、ＣＰＵが実行することによりその機能を実現する。【００３１】  また、買取商品情報データ１０２及びバーコード検索用データ１０３に格納される各種データは、ワークエリア的な目的で使用されるＲＡＭに必要に応じて生成消去されることもある。【００３２】  Ｉ／Ｆ（インターフェース）は、通信回線を通じてＬＡＮやインターネットなどのネットワークに接続され、ネットワークを介して、他の情報処理装置（サーバーなど）に接続される。そしてＩ／Ｆはネットワークと内部とのインターフェースを司り、他のサーバーや情報端末装置からのデータの入出力を制御する。Ｉ／Ｆは例としてモデムなどである。また情報提供装置が携帯電話機などと無線通信をおこなう場合には、Ｉ／Ｆが通信機（無線送受機）としての機能も備える。【００３３】  キーボードは、文字、数字、各種指示などの入力のためのキーを備え、データの入力をおこなう。タッチパネル式の入力パッドでもかまわない。マウスはカーソルの移動や範囲選択、あるいはウインドウの移動、サイズ変更などをおこなう。ポインティングデバイスとして同様の機能を備えるものであれば、トラックボール、ジョイスティックでもかまわない。【００３４】  また、バーコードやバーコードリーダーは、ＱＲコードやＱＲコードリーダーなどの二次元コードを取り扱うものにしても良く、商品識別コードとこの商品識別コードリーダーで構成されておれば良い。中古商品は、玩具、ゲームソフト、音楽などのＣＤ、映画やアニメなどのＤＶＤ、書籍など、中古商品を商品識別コードで管理できるものであれば対応できるものである。【００３５】  以上のように本発明は、コンピュータのデータベースを用い、中古商品の買取りを希望する単数若しくは複数の買取希望ユーザーが、携帯電話やパソコンなど各種のユーザー端末機を使用して該中古商品の名前、商品識別コード及び買取金額などの買取希望情報を登録しておく買取希望情報登録手段と、自己保有の中古商品を販売したい販売希望ユーザーが携帯電話やパソコンなどの画面を有するユーザー端末のアプリケーション及び、携帯電話等の携帯端末の商品識別コードリーダーを用いて、販売希望商品の商品識別コードより前記データベースに登録されている買取希望情報登録手段の買取希望情報を検索して販売希望商品の買取希望情報を検索する検索手段と、該検索手段の検索結果を表示する表示手段とを参照し、該データーベースに登録されている買取希望情報の参照結果から買取希望価格を比較して、自己保有の中古商品の販売価格を決定することを特徴とする価格決定方式を構成するものであり、これにより中古商品の売買が効率的になる商品売買システムが構築されるものである。
【図面の簡単な説明】
【００３６】
【図１】本発明のシステム構成を示す。
【図２】買取商品情報マスタを示す。
【図３】バーコード検索用マスタを示す。
【図４】買取商品登録に関する処理フローを示す。
【図５】販売決定までの処理フローを示す。
【図６】現在稼動中の告知物を示す。
【符号の説明】
【００３７】    １００  商品登録装置
１０１  買取登録プログラム
１０２  買取商品情報マスタ
１０３  バーコート検索用マスタ
１１０  インターネット網
１２０  買取希望ユーザー端末
１２１  ブラウザ
１３０  販売希望ユーザ端末
１３１  ブラウザ
１３２  バーコードリーダー
２００  買取商品情報マスタ
３００  バーコード検索用マスタ
【図１】
2007179516.tif 000003
【図２】
2007179516.tif 000004
【図３】
2007179516.tif 000005
【図４】
2007179516.tif 000006
【図５】
2007179516.tif 000007
【図６】
2007179516.tif 000008